(57)【要約】【課題】小型で明るく、放熱特性も良好なものとする。【解決手段】棒状の導光体２０と、導光体２０の長手方向端部に対向配置したＬＥＤ２２と、導光体２０を保持する長尺の金属製ケース２３と、ＬＥＤ２２を支持する伝熱用金具３０とからなる。伝熱用金具３０はケース２３の長手方向に沿う伝熱片３１を備えて、伝熱片３１とケース２３とが熱的に接続されている。【選択図】図３
2016076443.tif 000002
【特許請求の範囲】
【請求項１】
棒状の導光体と、この導光体の長手方向端部に対向配置したＬＥＤと、前記導光体を保持する長尺の金属製ケースと、前記ＬＥＤを支持する伝熱用金具とからなり、前記伝熱用金具は前記ケースの長手方向に沿う伝熱片を備えて、該伝熱片と前記ケースとが熱的に接続されていることを特徴とする照明装置。
【請求項２】
ビス締めで機械的に連結される前記伝熱用金具の前記伝熱片と前記ケースとは、熱伝達シートを介して熱的に接続されるとともに、前記ケースと前記伝熱片との対向面の少なくとも一方は、他方側に突出して前記対向面間に前記熱伝達シート配置用の間隙を確保する突起を備えていることを特徴とする請求項１記載の照明装置。
【請求項３】
請求項１または請求項２記載の照明装置がキャビネット本体の上縁に沿って配置されていることを特徴とするキャビネット。
【発明の詳細な説明】
【技術分野】
【０００１】
本発明は、発光体としてＬＥＤを用いるとともに光出力部として導光体を用いている照明装置とこれを備えるキャビネットに関するものである。
【背景技術】
【０００２】
棒状の導光体の長手方向の端面にＬＥＤを配置し、ＬＥＤから出力される光が棒状の導光体の長手方向ほぼ全長から外部に出るようにすれば、細くてコンパクトな照明装置となる。
【先行技術文献】
【特許文献】
【０００３】
【特許文献１】特開２０１０−２５３０６５号公報
【発明の概要】
【発明が解決しようとする課題】
【０００４】
前記照明装置の場合、配置できるＬＥＤ数が少ないために、ＬＥＤとして高出力のものを用いなくては明るくすることができない。そして高出力タイプのＬＥＤは発熱も大きいことから、その放熱のために大きい放熱板が必要となり、これが照明装置全体の小型化の妨げとなってしまう。
【０００５】
本発明は前記問題に鑑みてなされたもので、小型で明るく、放熱特性も良好な照明装置とこれを備えるキャビネットを提供することを課題とする。
【課題を解決するための手段】
【０００６】
本発明にかかる照明装置は、棒状の導光体と、この導光体の長手方向端部に対向配置したＬＥＤと、前記導光体を保持する長尺の金属製ケースと、前記ＬＥＤを支持する伝熱用金具とからなり、前記伝熱用金具は前記ケースの長手方向に沿う伝熱片を備えて、該伝熱片と前記ケースとが熱的に接続されていることに特徴を有している。
【０００７】
そして本発明に係るキャビネットは、前記照明装置がキャビネット本体の上縁に沿って配置されていることに特徴を有している。
【発明の効果】
【０００８】
本発明によれば、ＬＥＤの熱は伝熱用金具の伝熱片から金属製のケースに伝えられて、ケースが放熱板として機能することから、小型で明るく且つ放熱特性も良好なものとなる。
【図面の簡単な説明】
【０００９】
【図１】本発明に係るキャビネットの一例の斜視図である。
【図２】同上のキャビネットが備える照明装置の部分斜視図である。
【図３】同上の照明装置の端面カバーを外した状態の端面図である。
【図４】同上の照明装置のケースと伝熱用金具と端部ケースの斜視図である。
【発明を実施するための形態】
【００１０】
本発明の照明装置は、棒状の導光体と、この導光体の長手方向端部に対向配置したＬＥＤと、前記導光体を保持する長尺の金属製ケースと、前記ＬＥＤを支持する伝熱用金具とからなる。前記伝熱用金具は前記ケースの長手方向に沿う伝熱片を備えて、該伝熱片と前記ケースとが熱的に接続されている。
【００１１】
ビス締めで機械的に連結される前記伝熱用金具の前記伝熱片と前記ケースとは、熱伝達シートを介して熱的に接続されるとともに、前記ケースと前記伝熱片との対向面の少なくとも一方は、他方側に突出して前記対向面間に前記熱伝達シート配置用の間隙を確保する突起を備えていることが好ましい。
【００１２】
本発明のキャビネットは、前記の照明装置がキャビネット本体の上縁に沿って配置されている。
【００１３】
以下、本発明を図示の実施例に基づいて詳述すると、図示例のキャビネット１は、洗面化粧台用のミラーキャビネットである。このキャビネット１は、前面側に複数の収納凹所を備えるキャビネット本体１０と、キャビネット本体１０の前面に配した３枚の扉１１，１２，１３とからなり、各扉１１，１２，１３の前面にはミラー１４が配されている。そして、キャビネット本体１０の前面側の上縁にはこの上縁に沿うとともにキャビネット１の全幅にわたる長さの細長い照明装置２が配されている。
【００１４】
照明装置２は、図３に示すように、棒状の導光体２０と、押出成形品としての長尺の金属製のケース２３と、発光体であるＬＥＤ２２と、ケース２３の長手方向の端部に配される端部ケース２４と、図２に示す端面カバー２５、照明カバー２６、そして前記ＬＥＤ２２を支持している伝熱用金具３０からなる。
【００１５】
前記導光体２０は、ケース２３の前面側の内部に保持され、その両端面もしくは一端面には、ＬＥＤ２２が対向配置される。ＬＥＤ２２から出て導光体２０内に入射した光は、導光体２０内で反射を繰り返し、導光体２０の全長にわたる光出射部２１から外部に出射する。
【００１６】
ケース２３の前面側に装着される照明カバー２６は、二色成形により、光透過率が大で内面側にプリズム加工された部分と、光透過率が小もしくは零の部分とを備え、光透過率が大である部分は、ケース２３の前部下面の開口している部分を覆う。光透過率が小もしくは零の部分はケース２３の前面及び前部上方を覆う。
【００１７】
導光体２０の光出射部２１は、照明カバー２６の前記プリズム加工された部分に向けられており、このためにＬＥＤ２２から出た光はキャビネット１の前方空間を照らす。なお、照明カバー２６における光が出て行く部分は、キャビネット１の扉１１，１２，１３よりも前方側に位置させている。
【００１８】
ここにおいて、ＬＥＤ２２には高出力タイプのものを用いており、このためにＬＥＤ２２はその発熱も大きいものとなっていることから、ＬＥＤ２２を支持している高熱伝導性の伝熱用金具３０でＬＥＤ２２の発熱を金属製の長尺のケース２３に逃がしている。
【００１９】
ケース２３の長手方向端部に配設されてＬＥＤ２２（を載せた基板）を支持することでＬＥＤ２２からの熱を受ける伝熱用金具３０は、図４に示すように、ケース２３の長手方向に沿って延びる伝熱片３１を一体に備えている。伝熱片３１の先端部に設けたタップ孔３２に、ケース２３の貫通孔３３を貫通させたビスをねじ込むことでケース２３に伝熱片３１が固定される。
【００２０】
なお、伝熱片３１とケース２３との間には、厚さ１ｍｍ程度の熱伝達シート３５を介在させることで、伝熱片３１からケース２３への熱伝達性を高めている。また、ケース２３には伝熱片３１側に突出するリブ状の突起３６を設けて、この突起３６を伝熱片３１に当接させることで、熱伝達シート３５配置用の間隙を確保し、前記ビスの締めすぎによる熱伝達シート３５の潰れを防いでいる。
【００２１】
伝熱用金具３０の伝熱片３１をケース２３に固定するためにビスを用いた例を示したが、このビスに代えて、突起３６よりも下方位置でケース２３に棒状部材を設けて、この棒状部材とケース２３の天井面との間で伝熱片３１を挟むことで固定してもよい。また、別部品としてのクリップを用意して、クリップでケース２３と伝熱片３１とを挟むようにしてもよい。
【００２２】
この照明装置２においては、その端部に配されたＬＥＤ２２から出た光は、導光体２０の存在により、照明装置２のほぼ全長（キャビネット１の上縁のほぼ全長）から外部に出ていく。このために、細くてコンパクトな照明装置２でありながら、キャビネット１（ミラーキャビネット）に要求される照明を行うことができる。
【００２３】
しかもＬＥＤ２２として高出力タイプのものを用いても、その熱は伝熱用金具３０を介して導光体２０の保持用の金属製のケース２３に伝えられて、長尺のケース２３から効果的に放熱される。
【００２４】
また、伝熱用金具３０にはケース２３の長手方向に沿う伝熱片３１を設けて、この伝熱片３１をケース２３に熱的に接続している上に、両者の対向面間には熱伝達シート３５を配している。従って、伝熱用金具３０からケース２３への熱伝達の効率が良く、ケース２３からの放熱がより効果的に行われる。加えるに、ケース２３に設けた突起３６が熱伝達シート３５の潰れを防ぐために、伝熱用金具３０とケース２３との間の熱伝達特性を常に良好に保つことができる。なお、前記突起３６は、伝熱用金具３０側に設けてもよい。
【００２５】
そして前記の小型で明るい上に放熱特性も良好な照明装置２をキャビネット本体１０の上縁に備えるキャビネット１は、照明装置２が占有するスペースが小さいために、内部容量を十分に確保できる上に良好な意匠を確保することができる。
【符号の説明】
【００２６】
１  キャビネット
２  照明装置
１０  キャビネット本体
２０  導光体
２２  ＬＥＤ
２３  ケース
３０  伝熱用金具
３１  伝熱片
３５  熱伝達シート
【図１】
2016076443.tif 000003
【図２】
2016076443.tif 000004
【図３】
2016076443.tif 000005
【図４】
2016076443.tif 000006